(57)【要約】【課題】寝室全体の空間性やインテリア性を損なうことなく、1.5次睡眠環境を個々に制御可能として、一つの寝室を使用する各個人に快適な睡眠空間を実現するための寝室家具を提案する。【解決手段】  天蓋３０とベッド２０とで寝室家具１０を構成し、天蓋３０とベッド２０との間に形成される空間（1.5次睡眠環境４０）に作用する、空調装置４９と、音響装置５１と、照明装置５６とを備え、個々に設定可能とした。さらに、加湿装置５４、芳香装置５５、頭部の冷却装置５２、手足の温熱装置５３を寝室家具１０に備え、個々に設定可能とした。【選択図】図３
2005214518.tif 000002
【特許請求の範囲】
【請求項１】
ベッドと、ベッドの上方に配設された箱形状の天蓋とで構成され、
天蓋とベッドとの間に形成される空間を空調する空調装置と、前記空間に発する音響装置と、前記空間を照明する照明装置とを備えることを特徴とする寝室家具。
【請求項２】
前記寝室家具において、天蓋とベッドとの間に形成される空間に作用する加湿装置を備える、請求項１に記載の寝室家具。
【請求項３】
前記寝室家具において、天蓋とベッドとの間に形成される空間に作用する芳香装置を備える、請求項１又は請求項２に記載の寝室家具。
【請求項４】
前記寝室家具において、ベッドに寝ている人の手足を加温する手段としての温熱装置を備える、請求項１乃至請求項３のいずれかに記載の寝室家具。
【請求項５】
前記寝室家具において、ベッドに寝ている人の頭部を冷却する手段としての冷却装置を備える、請求項１乃至請求項４のいずれかに記載の寝室家具。
【請求項６】
前記寝室家具において、前記各装置の設定や調整を集中して行うことが可能な設定操作部を設ける、請求項１乃至請求項５のいずれかに記載の寝室家具。
【発明の詳細な説明】
【技術分野】
【０００１】
本発明は、睡眠の質の向上を目的とした睡眠環境形成のための技術に関する。
【背景技術】
【０００２】
生活リズムの乱れや、最近のストレスに満ちた社会を反映して、不眠に悩まされる人が増大する昨今では、「快眠」を求める声が高まっている。さらに、睡眠時間は人の生活時間の中で大きな割合を占め、快眠を得るために、単に眠るというだけでなく、寝具や、寝室の選定によって睡眠環境を整えようとする意識が高まっている。
【０００３】
睡眠環境は個別性が高い。すなわち、個々の人によって快適と感じる睡眠のための環境（温度、湿度、音響、照明等）は異なることが一般的である。このような人によって異なる快適さにきめ細かく対応して睡眠の環境を整え、睡眠の質を向上させるために、図１に示す如く、寝室全体の環境（２次睡眠環境４１）と、寝具で寝ている人の周りの環境（1.5次睡眠環境４０）と、寝具の中に形成される環境（１次睡眠環境３９）とに分けて、これらの環境を制御するアプローチが有効である。この、1.5次睡眠環境４０を個々に制御可能とするという視点は、複数人のための寝室であっても、同室で眠る他人からの干渉を受けることなく個々が快適な睡眠環境を得るために効果的な、独自の視点である。
【０００４】
上記１次睡眠環境３９と1.5次睡眠環境４０を形成し制御するために、カプセル型の寝室が提供されている。例えば、特許文献１や特許文献２に記載の技術である。これらの技術では、ベッドの上方を覆うもの（カバー・遮蔽体等）を設けることにより、カプセルを形成し該カプセル内部に睡眠空間を形成している。カプセルとすることで、温度・湿度・静けさを個々に適したものとする制御が容易となり、また、包囲されることから安全感を与え、プライバシーの保護を確保することができる。
特許文献１に記載の技術では、個人的なリラックス空間の形成のために、ベッドを開閉可能なカバーで覆って睡眠空間を形成し、該睡眠空間における、防音・空調・通信制御等の基本機能を備えている。また、特許文献２に記載の技術では、特に入眠時の快適性を重視して、ベッドの上方を遮蔽体にて覆って睡眠空間を形成し、該睡眠空間における、空調手段や芳香発生器を備えて、快適な湿度・温度環境を整えるとともに、マイナスイオンや香りを発生して入眠を促進している。
【０００５】
一方、カプセルを形成することなく睡眠空間を形成するために、一般的な住宅の寝室においても設置が容易な家具が提案されている。例えば、特許文献３に記載の技術では、ベッドを跨ぐように門状の家具が配置され、該家具に収納・照明装置・空調装置・音響装置等を備えている。
【０００６】
【特許文献１】登録実用新案第３０７７８５９号公報
【特許文献２】特開２００２−３５５１４７号公報
【特許文献３】特開２００２−１６５６７５号公報
【発明の開示】
【発明が解決しようとする課題】
【０００７】
上記特許文献１や特許文献２に示されるようなカプセル型の睡眠空間は、住宅の寝室に配置するには大規模であったり、寝室全体の空間性やインテリア性を損ねたりする虞があり、一般の住宅には受け入れ難いという不具合がある。また、特許文献３に示されるような寝室家具では、ベッドの周囲が家具で塞がれることから、重圧感や閉塞感を感じたり、寝室全体の空間性やインテリア性を損ねたりする虞がある。
そこで、本発明では、一つの寝室を使用する各個人に快適な睡眠空間を実現することに着目して、寝室全体の空間性やインテリア性を損なうことなく、1.5次睡眠環境を個々に制御可能とする寝室家具を提案する。
【課題を解決するための手段】
【０００８】
本発明の解決しようとする課題は以上の如くであり、次にこの課題を解決するための手段を説明する。
【０００９】
即ち、請求項１においては、ベッドと、ベッドの上方に配設された箱形状の天蓋とで構成され、天蓋とベッドとの間に形成される空間を空調する空調装置と、前記空間に発する音響装置と、前記空間を照明する照明装置とを備える寝室家具である。
【００１０】
請求項２においては、前記寝室家具において、天蓋とベッドとの間に形成される空間に作用する加湿装置を備えるものである。
【００１１】
請求項３においては、前記寝室家具において、天蓋とベッドとの間に形成される空間に作用する芳香装置を備えるものである。
【００１２】
請求項４においては、前記寝室家具において、ベッドに寝ている人の手足を加温する手段としての温熱装置を備えるものである。
【００１３】
請求項５においては、前記寝室家具において、ベッドに寝ている人の頭部を冷却する手段としての冷却装置を備えるものである。
【００１４】
請求項６においては、前記寝室家具において、前記各装置の設定や調整を集中して行うことが可能な設定操作部を設けるものである。
【発明の効果】
【００１５】
本発明の効果として、以下に示すような効果を奏する。
【００１６】
請求項１においては、寝室家具に備えた装置を使用することによって、同一の寝室を使用する各個人が快適と感じる空調と音響と光とを、各個人の睡眠環境とすることができ、睡眠の質を高めることに寄与することができる。また、同一の寝室を使用する人に干渉されることなく、各個人の好みに応じた睡眠環境を形成することができる。
【００１７】
請求項２においては、各個人の好みに応じた湿度の睡眠環境を形成することができる。
【００１８】
請求項３においては、各個人の好みに応じた香りの睡眠環境を形成することができる。
【００１９】
請求項４においては、各個人の好みに応じた温度で、睡眠中の人の頭部を冷却することができる。
【００２０】
請求項５においては、各個人の好みに応じた温度で、睡眠中の人の手足を加温することができる。
【００２１】
請求項６においては、各装置の調整操作が容易になるとともに、各個人の睡眠環境を形成するために各装置を総合的に調整することが容易となる。
【発明を実施するための最良の形態】
【００２２】
次に、発明の実施の形態を説明する。
図１は1.5次睡眠環境を説明する図、図２は本発明の実施例に係る寝室家具を配置した寝室の様子を示す図、図３は寝室家具の正面図、図４は寝室家具の側面図、図５は寝室家具の機能を示すブロック図である。図６は1.5次睡眠環境の一例を示す図である。
【００２３】
図１に示す如く、同一の寝室を使用する各個人が快適な睡眠環境を得るためには、寝室全体の環境（２次睡眠環境４１）と、寝具で寝ている人の周りの環境（1.5次睡眠環境４０）と、寝具と人とで形成される環境（１次睡眠環境３９）とに分けて、これらの環境を制御するアプローチが有効である。本発明に係る寝室家具１０では、『1.5次睡眠環境４０』における光・音・温度環境を、各個人に適した睡眠環境とすべく調整可能とすることを可能としている。
これにより、他人に干渉されること無く各個人に適した睡眠環境を形成することができ、睡眠の質を高めることに寄与することができる。また、各個人が所望の時間に所望の環境で眠ることができる。特に、近年では熟年以降の夫婦に個別の睡眠環境を求めて別寝スタイルのニーズがあるが、寝室のリフォーム等を要することなく、同じ設えの本発明に係る寝室家具１０を用いることによって個別の睡眠環境を形成することができる。
【００２４】
ここで、本発明の実施例に係る寝室家具１０の構成について説明する。
図２乃至図５に示す如く、寝室家具１０はベッド２０と天蓋３０とで構成されている。そして、寝室家具１０には、個別に調整可能な、空調装置４９と、音響装置５１と、冷却装置５２と、加湿装置５４と、芳香装置５５と、温熱装置５３と、照明装置５６とが備えられている。
【００２５】
寝室家具１０は、ベッド２０の頭部側に設けられたヘッドボード２２と、天蓋３０の頭部側に設けられた天蓋垂壁２９によって、側面視略コ字状に形成されている。この、寝室家具１０を構成するベッド２０と天蓋３０とによって形成された空間が1.5次睡眠環境４０であり、寝室家具１０や寝具等が１次睡眠環境３９であり、寝室のそれ以外の空間は個人睡眠空間を包囲する全体的な環境睡眠空間である２次睡眠環境４１である。
本発明では、１次睡眠環境３９を包囲し相互に影響する1.5次睡眠環境４０の、空調・照明・音響を整えるための装置として、寝室家具１０を構成している。寝室家具１０は寝室に単数組配置することも複数組配設することもできる。
【００２６】
前記ベッド２０は、床４４上に載置された略矩形箱形状のベッドフレーム２１と、該ベッドフレーム２１の頭部側に配設されたヘッドボード２２とで構成されている。ベッドフレーム２１には、ベットスプリング２３等が載置され、寝床が形成される。
【００２７】
前記天蓋３０は、天井４３に固設されており、略矩形箱形状に構成され、その頭部側には天蓋垂壁２９が配置されている。但し、寝室の天井４３から天蓋３０を吊設して、1.5次睡眠環境４０の高さ方向の大きさを調節することもできる。人によっては、下がり天井の方が落ち着きを得られることもあるため、所望に応じて天蓋３０の高さを調節することが好ましい。
【００２８】
天蓋３０の下面には、ベッド２０を包囲するカーテン２７を摺動可能とするレール２８が設けられている。カーテン２７によりベッド２０と天蓋３０との間が他の空間から視覚的に柔らかく区画される。さらに、カーテン２７により1.5次睡眠環境４０の範囲が限定される。
カーテン２７は、柔らかなレース素材であることが好ましく、視覚的にも音響的にも閉塞感の無いように半透明であり、且つ、1.5次睡眠環境４０と２次睡眠環境４１とを区画するため、２次睡眠環境４１に吹き出した冷風又は温風によって1.5次睡眠環境４０内に就寝者が感じるような0.3〜0.4m/s程度の強い気流或いは気流速の不安定な気流が流入しないように、そして、1.5次睡眠環境４０に吹き出した冷気によって達成した２次睡眠環境４１に対する温度差が温熱的にカーテン２７を透過する熱損失によって或いはカーテン２７の隙間から気流的に流出する熱損失によって失われないように、素材や色等が選定されている。
但し、カーテン２７を厚手の遮光カーテンとして、光や温度環境の個別性をより確保し易い状況を形成することもできる。さらに、生地の素材や色柄の選択によって各1.5次睡眠環境４０の独立性を調整することができる。
【００２９】
（空調装置４９）
空調装置４９は、天蓋３０とベッド２０とカーテン２７とで形成される1.5次睡眠環境４０の空調を整える手段として設けられている。
前記天蓋３０の下面には、空調装置４９の吹出口４８が設けられている。この吹出口４８からは空調装置４９にて風量と温度とが調整された空気が送風される。但し、空調装置４９では、カーテン２７にて区切られた1.5次睡眠環境４０内の空調を整えることを目的とするため、送風は穏やかであり直接ベッド２０で寝ている人が風を感じない程度の微風となるようにされている。空調装置４９の室外機は一つの寝室に対して一機設けられるが、個々の寝室家具１０において風量と温度が調節可能とされ、また、タイマが備えられて所望時間経過後や所望時刻にＯＮ・ＯＦＦ制御することが可能とされている。
【００３０】
（音響装置５１）
音響装置５１は、1.5次睡眠環境４０の音響環境を整える手段として設けられている。
前記ベッド２０のヘッドボード２２には、音響装置５１の出力部であるスピーカ３４が備えられている。スピーカ３４は隣接する寝室家具１０において最も離れた位置に配置される。例えば、左右に並列して二組の寝室家具１０・１０が配置されている場合、右側に配置された寝室家具１０のヘッドボード２２の右部と、左側に配置された寝室家具１０のヘッドボード２２の左部とにスピーカ３４・３４が配置されている。さらに、スピーカ３４から出る音には指向性を持たせ、スピーカ３４の備えられた寝室家具１０で寝ている人にのみ聞こえ、他には聞こえにくいように配置される。これにより、隣接して眠る人の音響により入眠が阻害されたり、起こされたりすることが防止される。
【００３１】
音響装置５１は、ＯＮ・ＯＦＦの操作が手動式であるだけでなくタイマ式でもあり、音のＯＮ・ＯＦＦ、音量をタイマにてプログラム制御することができる。例えば、就寝時には設定された時間で音量がフェードアウトし睡眠後に電源が自動的に切れるようにプログラムし、起床時には設定された起床数分前の時刻に作動して音楽が流れ音量がフェードインするようにプログラムすることができる。
音響装置５１には、個々の寝室家具１０ごとに別々の音源入力端子や音源・アンプなどが設けられており、また、音響装置５１から発される音響のソースは、無線放送、有線放送、ＣＤ等の記録媒体に記録された音楽とすることができる。また、起床時の目覚ましのための音響として、予め登録されたベル音や声等を音響のソースとすることもできる。
【００３２】
（冷却装置５２）
冷却装置５２は、寝ている人の頭部を冷却するための手段として設けられている。
夏期入眠時に頭寒足熱の状態とするために、ベッド２０のヘッドボード２２には、冷却装置５２の吹出口３３が設けられている。この吹出口３３からは、微量の送風が可能であり、この送風により主に寝ている人の頭部（額部）を冷やすことが可能である。なお、この冷却装置５２は、前記空調装置４９と連係されており、空調装置４９にて調整され冷却された気体が冷却装置５２の吹出口３３より送風される。但し、冷却装置５２と空調装置４９とを独立した装置として構成することも可能である。また、冷却装置５２は頭部を冷やすようにベッド２０と一体的に構成した枕部を冷やすように構成することもできる。
【００３３】
（温熱装置５３）
温熱装置５３は、寝ている人の手足を温めるための手段として設けられている。
冬季入眠時に手元や足下に暖かさを与え、頭寒足熱の状態とするために、ベッド２０のベッドフレーム２１に温熱装置５３としてのパネル状ヒーターが設けられている。温熱装置５３の熱はベットスプリング２３を介して人体に伝達されるため、手足が穏やかに加温されることになる。但し、ベッド２０表面に熱線状のヒーターを配置することもできる。温熱装置５３にはタイマが備えられており、所望時間経過後や所望時刻にＯＮ・ＯＦＦさせることができる。
なお、本実施例において、温熱装置５３はベッドフレーム２１に設けているが、天蓋３０の下面に設けることもできる。この場合、天蓋３０下面とベッド２０との間の空間を輻射して熱が寝ている人に穏やかに伝達されることとなる。
【００３４】
（加湿装置５４）
加湿装置５４は、1.5次睡眠環境４０の湿度環境を調整する手段として設けられている。
前記吹出口３３からは、加湿装置５４により加湿された気体が流出する。ヘッドボード２２の内部には加湿装置５４及び加湿装置５４のための水タンク（図示せず）が備えられており、湿度センサ（図示せず）にて検出された湿度に応じて加湿調整が可能とされている。なお、加湿装置５４にはタイマを備えており、所望時間経過後や所望時刻に加湿装置５４をＯＮ・ＯＦＦさせることができる。
【００３５】
（芳香装置５５）
芳香装置５５は、1.5次睡眠環境４０の香り環境を調整する手段として設けられている。
また、ヘッドボード２２に設けられた吹出口３３からは芳香装置５５から発される香りが付された気体が流出する。芳香装置５５はヘッドボード２２内部に設けられており、芳香装置５５から発される香りの源は同じくヘッドボード２２内に脱着可能に配置されている芳香剤タンク（図示せず）に装填されている。芳香剤タンクは一機の芳香装置５５に対して複数設けられており、芳香装置５５より発される香りを選択することが可能である。例えば、就寝時には睡眠前はα波が出やすい催眠効果のある香りを設定し、起床時には目覚めに効果のある香りを設定することができる。芳香装置５５はタイマを備えており、香り放散のＯＮ・ＯＦＦ・種類をプログラム制御することができ、所望時間経過後や所望時刻に装置をＯＮ・ＯＦＦさせることができる。例えば、入眠時にはタイマでフェードインするように制御したり、睡眠後に香りの拡散が自動的に終了するように制御したりすることが可能である。
【００３６】
（照明装置５６）
照明装置５６は、1.5次睡眠環境４０の光環境を調整する手段として設けられている。
照明装置５６はベッド２０と天蓋３０との上下間であって、ベッド２０のヘッドボード２２の上方に配置された天蓋垂壁２９に配置されており、光源は天蓋垂壁２９の下部において下方に向かって開口された開口部３５の内部に配置されている。但し、照明装置５６やその光源の配置は本実施例に限定されるものではなく、寝室家具１０のヘッドボード２２或いは天蓋垂壁２９に、又は、その近傍に設けることができる。
【００３７】
照明装置５６は、入眠時の読書灯として、また、起床時の目覚め灯として機能する。このために、照明装置５６に複数の光源が備えられている。本実施例においては、読書灯としての色温度の低い電球色のランプ型蛍光灯と、目覚め灯としての色温度の高い昼白色又は昼光色の調光ランプとを、照明装置の光源として備えている。これらの光源から発される光は、隣で寝ている人にはできるだけ灯りが漏れないようにするために、光源は寝室家具１０の中央寄りに配置される。また、これらの光源は、下方に向けて開口された開口部３５内に配置されており、ヘッドボード２２と天蓋垂壁２９との間の壁を照らす間接照明として、直接寝室家具１０で寝る人の目に光源が入らないようにされている。また、開口部３５に半透明のカバーをして、直接光源が目に入らないにようにすることもできる。
【００３８】
読書灯は、主に入眠時に使用され、寝室家具１０にて読書しようとする人の手元を照らし、その照度が少なくとも500lx程度となる、スポットライトである。
目覚め灯は、主に起床時に使用され、寝室家具１０にて寝ている人の頭部を照らし、起床３０分前から起床時刻に掛けて、照度が0〜1000lxに漸増されるように調光用ライトコントローラを用いて光量がタイマ制御可能とされた、スポットライトであり、これにより自然な起床が促される。
【００３９】
（設定操作部５８）
上記空調装置４９と、音響装置５１と、冷却装置５２と、加湿装置５４と、芳香装置５５と、温熱装置５３と、照明装置５６の各装置の設定を行うための設定操作部５８は、一カ所に集中して配置されており、各寝室家具１０にそれぞれ設けられている。本実施例では、設定操作部５８は、寝室家具１０の側方に配置されたキャビネット等の寝室家具６０に設けられた操作パネル５９に、二つの寝室家具１０の設定操作部５８・５８がまとめて配置されている。寝室家具１０に設けられた各装置の設定操作部５８を集中して配置することによって、各装置の調整操作が容易になるとともに、1.5次睡眠環境４０を形成するために各装置を総合的に調整することが容易となる。また、各寝室家具１０に対してそれぞれ設定操作部５８が設けられることによって、各寝室家具１０において1.5次睡眠環境４０を自在に調整することが可能となり、個人に適した睡眠環境を整えることが可能となる。また、設定操作部５８または空調装置４９、冷却装置５２、温熱装置５３、加湿装置５４、照明装置５６にはそれぞれ制御装置が設けられて、空調装置４９、冷却装置５２、温熱装置５３に配置される温度センサー、加湿装置５４に配置される湿度センサー、照明装置５６に配置される照度センサーからの検出値をフィードバックして、設定値となるように制御している。
【００４０】
なお、前記操作パネル５９には、1.5次睡眠環境４０の設定操作部５８のみならず、２次睡眠環境４１を形成する寝室の全体的な照明のＯＮ・ＯＦＦ及び照度調整や、寝室の開口部に設けられたシャッターやカーテンの開閉、住宅全体のセキュリティの確認等を行うことのできる操作部を設けることができる。これにより、寝室家具１０に居る状態で睡眠及びその前後において必要な操作ができることになる。
【００４１】
図６では、上記寝室家具１０に設けられた各装置にて形成する1.5次睡眠環境４０の好ましい一例を示している。
空調装置４９では、例えば、入眠から覚醒までを通じて、体温低下促進のために15℃以上28℃以下であって、個人の好みに応じた温度となるように調整する。また、加湿装置５４では、入眠から覚醒までを通じて、喉や皮膚の乾燥を抑えるために相対湿度が50〜60％であって、個人の好みに応じた湿度となるように調整する。
温熱装置５３では、例えば、冬季において、皮膚血管を拡張させるために手足部分を加温し、冷却装置５２では、夏期において、皮膚からの放熱を促進させるために頭部を始め全体的に冷却する。
照明装置５６では、例えば、入眠時には、リラックスできるように低照度・低色温度であって、個人の好みに応じた照度を設定し、読書灯は所定時間経過後に自動ＯＦＦさせ、そして、覚醒時には、目覚め灯を設定起床時間の所定時間前から0lxから約1000lxとなるように徐々に照度を上げて自然な覚醒を促す。
音響装置５１では、例えば、入眠時には、雨垂れの音等の入眠を促進する音を流して所定時間経過後に自動ＯＦＦさせ、睡眠中は、LAeq35dB以下の静穏な環境を保持し、覚醒時には、設定起床時間の所定時間前から小鳥のさえずり等の心地よい音楽を流して自然な覚醒を促す。
芳香装置５５では、例えば、入眠時には、リラックスできるようにラベンダー等の鎮静効果のある香りを放出して所定時間経過後に自動ＯＦＦし、覚醒時には、設定起床時間の所定時間前からジャスミン等の覚醒効果のある香りを放出する。
【００４２】
上述の如く、本発明に係る寝室家具１０では、家具としての、また、寝室としての設えを損ねることなく、寝室を使用する各個人に適した睡眠環境を形成することができる。また、寝室家具１０はベッド２０と天蓋３０とで構成され、高級感あるインテリア性を備え、寝室全体としての空間性を高級な趣のあるものとしている。
【図面の簡単な説明】
【００４３】
【図１】1.5次睡眠環境を説明する図。
【図２】本発明の実施例に係る寝室家具を配置した寝室の様子を示す図。
【図３】寝室家具の正面図。
【図４】寝室家具の側面図。
【図５】寝室家具の機能を示すブロック図。
【図６】1.5次睡眠環境の一例を示す図。
【符号の説明】
【００４４】
１０  寝室家具
２０  ベッド
２７  カーテン
３０  天蓋
４９  空調装置
５１  音響装置
５２  冷却装置
５３  温熱装置
５４  加湿装置
５５  芳香装置
５６  照明装置
５８  設定操作部
【図１】
2005214518.tif 000003
【図２】
2005214518.tif 000004
【図３】
2005214518.tif 000005
【図４】
2005214518.tif 000006
【図５】
2005214518.tif 000007
【図６】
2005214518.tif 000008